(57)【要約】【課題】利便性を向上できる文字入力処理装置及びそれを備えた携帯電話機を提供する。【解決手段】割り当てられた文字の入力操作を行う複数の文字キー２１と、文字列に対応する変換候補を格納する辞書データ１６と、文字キー２１により入力された第１文字列に対応する変換候補を辞書データ１６から取り出して表示する表示部１０とを備え、表示部１０に表示された変換候補を選択して文字変換を行う文字入力処理装置１３において、第１文字列に含まれる第１文字を入力した文字キー２１に隣接する文字キー２１に第２文字が割り当てられ、第１文字を第２文字に置き換えた第２文字列に対応する変換候補を表示部１０の表示に含めた。【選択図】図３
2009163488.tif 000002
【特許請求の範囲】
【請求項１】
割り当てられた文字の入力操作を行う複数の文字キーと、文字列に対応する変換候補を格納する辞書データと、前記文字キーにより入力された第１文字列に対応する変換候補を前記辞書データから取り出して表示する表示部とを備え、前記表示部に表示された変換候補を選択して文字変換を行う文字入力処理装置において、第１文字列に含まれる第１文字を入力した前記文字キーに隣接する前記文字キーに第２文字が割り当てられ、第１文字を第２文字に置き換えた第２文字列に対応する変換候補を前記表示部の表示に含めたことを特徴とする文字入力処理装置。
【請求項２】
各前記文字キーは複数の文字が割り当てられて押下回数に応じて入力される文字が変化し、第２文字を入力する際の押下回数が第１文字を入力する際の押下回数と同じであることを特徴とする請求項１に記載の文字入力処理装置。
【請求項３】
前記表示部は前記文字キーにより入力された文字を順に加えて第１文字列を表示し、第１文字が第１文字列の最後の文字から成ることを特徴とする請求項１または請求項２に記載の文字入力処理装置。
【請求項４】
請求項１〜請求項３のいずれかに記載の文字入力処理装置を備えたことを特徴とする携帯電話機。
【発明の詳細な説明】
【技術分野】
【０００１】
本発明は、複数の文字キーにより入力された文字列の文字変換を行う文字入力処理装置及びそれを備えた携帯電話機に関する。
【背景技術】
【０００２】
携帯電話機等に搭載される従来の文字入力処理装置は特許文献１に開示されている。この文字入力処理装置は複数の文字キー、表示部、かな漢字変換用の辞書データを備える。文字キーは文字コードが割り当てられて文字の入力操作を行う。表示部は文字キーにより入力された文字を順に追加した文字列を表示する。
【０００３】
文字キーにより入力された文字列が辞書データに格納された語句に一致すると変換候補を表示部に表示する。ユーザは変換候補を選択して文字変換を確定し、文章の入力が行われる。この時、予め記憶された誤入力のパターンに一致する入力が文字キーにより行われると、補正した文字列に対応する変換候補が表示部に表示される。
【０００４】
例えば、「いっっぱつ」のように促音便が重複した場合に誤入力と判断し、「いっぱつ」に補正してこれに対応する変換候補である「一発」が表示される。これにより、誤入力に対する修正操作を省くことができる。
【０００５】
【特許文献１】特開平９−１８５６１５号公報（第３頁−第５頁、第３図）
【特許文献２】国際公開第ＷＯ９５／２０１８７号パンフレット
【発明の開示】
【発明が解決しようとする課題】
【０００６】
上記従来の文字入力処理装置によると、促音便の重複や撥音便の重複等の日本語としてあり得ない文字列を誤入力のパターンとして記憶する。このため、これらのパターンに該当しない場合は補正が行われず、誤入力の修正操作が必要となる。
【０００７】
携帯電話機は近年小型化が目覚ましく、文字入力処理装置に設けられる文字キーの面積が小さくなるとともに隣接する文字キーの間隔が狭くなっている。このため、ユーザが意図した文字キーに隣接する文字キーを押下する誤入力の頻度が高くなり、修正操作が煩雑で携帯電話機の利便性が低下する問題があった。また、文字入力処理装置を搭載した他の機器においても同様の問題がある。
【０００８】
本発明は、利便性を向上できる文字入力処理装置及びそれを備えた携帯電話機を提供することを目的とする。
【課題を解決するための手段】
【０００９】
上記目的を達成するために本発明は、割り当てられた文字の入力操作を行う複数の文字キーと、文字列に対応する変換候補を格納する辞書データと、前記文字キーにより入力された第１文字列に対応する変換候補を前記辞書データから取り出して表示する表示部とを備え、前記表示部に表示された変換候補を選択して文字変換を行う文字入力処理装置において、第１文字列に含まれる第１文字を入力した前記文字キーに隣接する前記文字キーに第２文字が割り当てられ、第１文字を第２文字に置き換えた第２文字列に対応する変換候補を前記表示部の表示に含めたことを特徴としている。
【００１０】
この構成によると、文字キーを操作することにより第１文字列が入力される。文字入力処理装置は逐次または所定の操作を行った際に第１文字列に対応する変換候補を辞書データから取り出して表示部に表示する。この時、第１文字列に含まれる第１文字を第２文字に置き換えた第２文字列に対応する変換候補も同時に表示する。第２文字は第１文字を入力した文字キーに隣接する文字キーに割り当てられている。ユーザは所定の操作によって表示部に表示された変換候補から選択し、文字変換が行われる。
【００１１】
また本発明は、上記構成の文字入力処理装置において、各前記文字キーは複数の文字が割り当てられて押下回数に応じて入力される文字が変化し、第２文字を入力する際の押下回数が第１文字を入力する際の押下回数と同じであることを特徴としている。
【００１２】
この構成によると、文字キーの押下回数によって入力される文字が異なる。第１文字はこれを入力する文字キーと隣接する文字キーを同じ回数押下した時に入力される第２文字に置き換えられる。例えば、「あ行」を割り当てられる文字キーを２回押下すると「い」と入力される。この文字キーの隣接する文字キーに「か行」が割り当てられ、これを２回押下すると「き」と入力される。第１文字列に「い」が含まれると、これを「き」に置き換えて第２文字列が形成される。
【００１３】
また本発明は、上記構成の文字入力処理装置において、前記表示部は前記文字キーにより入力された文字を順に加えて第１文字列を表示し、第１文字が第１文字列の最後の文字から成ることを特徴としている。この構成によると、文字入力処理装置は文字キーの操作を行うと文字を順に追加して表示部に表示し、表示される第１文字列は逐次文字数が増加する。この時、表示された第１文字列の最後の文字を隣接する文字キーによる文字に置き換えて第２文字列が作成される。
【００１４】
また本発明の携帯電話機は、上記各構成の文字入力処理装置を備えたことを特徴としている。
【発明の効果】
【００１５】
本発明によると、ユーザにより入力された第１文字を含む第１文字列に対応する変換候補に加えて、第１文字の文字キーに隣接した文字キーによる第２文字で第１文字を置き換えた第２文字列に対応する変換候補を表示部の表示に含めたので、隣接した文字キーの操作による誤入力があっても煩雑な修正操作を省くことできる。従って、文字入力処理装置の利便性を向上することができる。特に、小型化が著しい携帯電話機は文字キーの面積が狭く隣接する文字キーの間隔が狭いため、本発明の文字入力処理装置によって大きな効果を得ることができる。
【００１６】
また本発明によると、第２文字を入力する際の押下回数が第１文字を入力する際の押下回数と同じであるので、ユーザが意図する文字列の変換候補をより確実に表示部の表示に含めることができる。
【００１７】
また本発明によると、表示部は前記文字キーにより入力された文字を順に加えて第１文字列を表示し、第１文字が第１文字列の最後の文字から成るので、表示部に表示される変換候補の数を少なくすることができる。従って、変換候補の選択を容易にして利便性をより向上することができる。
【発明を実施するための最良の形態】
【００１８】
以下に本発明の実施形態を図面を参照して説明する。図１は一実施形態の文字入力処理装置を備えた携帯電話機の正面図を示している。携帯電話機１はヒンジ部４により回動して開閉される第１、第２筐体２、３を備えている。第１筐体２には表示部１０及びスピーカ５が設けられる。第２筐体３にはマイク６及び操作部２０が設けられる。
【００１９】
図２は携帯電話機１の構成を示すブロック図である。携帯電話機１は各部を制御する制御部７を有している。制御部７には操作部２０、表示部１０、通信部８、マイク６、スピーカ５、バッテリ９、記憶部１５が接続される。
【００２０】
操作部２０は複数の操作キーから成り、文字キー２１、選択キー２２、確定キー２３等を有している。文字キー２１は複数設けられ、電話番号の入力や電子メールの文字入力等を行う。本実施形態では、数字の「１」〜「０」を入力する操作キーにそれぞれ「あ行」〜「わ行」のかな文字が割り当てられている。かな文字入力時に各操作キーの押下回数によって「あ段」〜「お段」を選択することができる。選択キー２２は表示部１０に表示されるリスト上をカーソル移動して項目を選択する。確定キー２３は選択キー２２によりカーソル移動された項目の選択を確定する。
【００２１】
表示部１０は液晶パネルや有機ＥＬパネル等から成り、操作画面の表示や情報表示を行う。表示部１０は電子メール等の文章入力時に画面を上下に分割して上段に文章表示部１１が設けられ、下段に変換候補表示部１２が設けられる（図４参照）。文章表示部１１は文章入力時に文字キー２１により入力された文字列やこれを文字変換して作成された文章が表示される。変換候補表示部１２は必要に応じて表示され、文字キー２１により入力された文字列の変換候補を表示する。
【００２２】
通信部８は基地局と通信を行って電話や電子メールを送受信する。マイク６は電話の送話を行う。スピーカ５は電話の受話及び着信時の報知を行う。バッテリ９は携帯電話機１の各部に電力を供給する。
【００２３】
記憶部１５はＲＯＭやＲＡＭ等から成り、携帯電話機１の動作プログラム、電話帳データ、通信履歴等を記憶するとともに制御部７による演算の一時記憶を行う。また、記憶部１５には所定の文字列に対応する変換候補を格納する辞書データ１６が設けられる。
【００２４】
尚、詳細を後述するように、操作部２０の文字キー２１により文字の入力操作を行い、文字キー２１により入力された文字列に対応する変換候補が辞書データ１６から取り出されて表示部１０の変換候補表示部１２に表示される。そして、変換候補表示部１２に表示された変換候補を選択して文字変換を行い、文章入力が行われる。従って、操作部２０、表示部１０、記憶部１５及び制御部７によって、文字入力及び文字変換して文章入力を行う文字入力処理装置１３が構成される。
【００２５】
図３は携帯電話機１による電子メール等の文章入力を行う際の動作を示すフローチャートである。文章入力を行うモードになると、ステップ＃１１で文字キー２１による文字入力が行われるまで待機する。文字入力が行われるとステップ＃１２で入力された文字が変換確定前の状態で表示部１０の文章表示部１１に表示される。後述するステップ＃１８で文字キー２１の操作が行われると、文章表示部１１には入力された文字を順に追加した文字列が表示されるようになっている。
【００２６】
ステップ＃１３ではステップ＃１２で文章表示部１１に表示された文字列（以下、「第１文字列」という）に対応する変換候補が辞書データ１６から検索される。検索結果は記憶部１５に一時記憶される。ステップ＃１４では、ステップ＃１１またはステップ＃１８で直前に入力した文字（以下、「第１文字」という）を別の文字（以下、「第２文字」という）に置き換えた文字列（以下、「第２文字列」という）が作成される。
【００２７】
ここで、第２文字は第１文字を入力した文字キー２１に隣接する文字キー２１に割り当てられている。例えば、本実施形態では前述の図１に示すように「た行」の文字キー２１には「あ行」、「か行」、「な行」、「ま行」、「や行」の文字キー２１が隣接する。「た行」の文字キー２１により第１文字が入力されると、「た行」の文字キー２１に隣接する文字キー２１により同じ押下回数で入力される文字が第２文字となる。
【００２８】
ステップ＃１５では第２文字列に対応する変換候補が辞書データ１６から検索される。検索結果は記憶部１５に一時記憶される。ステップ＃１６では第１文字を入力した文字キー２１に隣接する他の文字キー２１があるか否かが判断される。
【００２９】
第１文字を入力した文字キー２１に隣接する他の文字キー２１がある場合はステップ＃１４に戻り、ステップ＃１４〜＃１６が繰り返し行われる。第１文字を入力した文字キー２１に隣接する全ての文字キー２１についての処理が終わるとステップ＃１７に移行する。
【００３０】
ステップ＃１４〜＃１６により例えば、「あたらしち」と第１文字列が表示された状態で、第１文字である「ち」を第２文字に置換した第２文字列が生成される。即ち、「ち」に対応する文字キー２１（た行）に隣接する「あ行」、「か行」、「な行」、「ま行」、「や行」の文字キー２１による同じ押下回数である「い」、「き」、「に」、「み」、「ゆ」で「ち」が置き換えられる。これにより、第２文字列として「あたらしい」、「あたらしき」、「あたらしに」、「あたらしみ」、「あたらしゆ」が作成される。そして、これらの各第２文字列に対応する変換候補が辞書データ１６から検索される。
【００３１】
ステップ＃１７ではステップ＃１３、＃１５で検索された変換候補が表示部１０の変換候補表示部１２に表示される。上記例では図４に示すように、辞書データ１６に格納された変換候補に一致した「新しい」、「新しき」が変換候補表示部１２に表示される。また、文字キー２１で入力された「あたらしち」が変換候補として変換候補表示部１２に表示される。変換候補が多い場合は選択キー２２によって画面を順に送って変換候補を表示してもよい。
【００３２】
ステップ＃１８では文字キー２１による文字入力があったか否かが判断される。文字キー２１による文字入力があった場合はステップ＃１２に移行して追加した文字列が表示部に表示される。そして、ステップ＃１２〜＃１８が繰り返し行われ、文字を追加した第１文字列及び追加された文字を置換した第２文字列に対応する変換候補が表示される。
【００３３】
これにより、文字キー２１の操作により文字が追加されると逐次変換候補が可変して表示される。尚、文字キー２１により所望の文字列を入力し、所定の操作を行った後に変換候補が表示されるようにしてもよい。
【００３４】
文字キー２１による文字入力がない場合はステップ＃１９に移行する。ステップ＃１９では選択キー２２及び確定キー２３によって所望の変換候補が選択されたか否かが判断される。
【００３５】
変換候補が選択されていない場合はステップ＃１８、＃１９が繰り返し行われ、文字キー２１または確定キー２３の操作が行われるまで待機する。図４に示すように各変換候補に数字を対応させ、文字キー２１を操作して各文字キー２１に割り当てられた数字により所望の変換候補を選択してもよい。ユーザにより変換候補が選択されるとステップ＃２０に移行する。ステップ＃２０では図５に示すように、選択された変換候補による文字変換が行われて表示部１０の文章表示部１１に確定状態で表示される。
【００３６】
ステップ＃２１では文字変換された語句に続いて文字キー２１により文字入力されたか否かが判断される。文字キー２１により文字入力された場合はステップ＃１２に移行して変換された語句に続いて変換前の文字列が表示部１０に表示される。そして、ステップ＃１２〜＃２０が繰り返し行われる。
【００３７】
文字キー２１により文字入力されていない場合はステップ＃２２で文章入力を終了する操作が行われたか否かが判断される。文章入力を終了する操作が行われていない場合はステップ＃２１、＃２２が繰り返し行われ、文字キー２１または文章入力終了の操作が行われるまで待機する。文章入力を終了する操作が行われた場合は文章入力の処理を終了する。
【００３８】
本実施形態によると、ユーザにより入力された第１文字を含む第１文字列に対応する変換候補に加えて、第１文字の文字キー２１に隣接した文字キー２１による第２文字で第１文字を置き換えた第２文字列に対応する変換候補を表示部１０の表示に含めたので、隣接した文字キー２１の操作による誤入力があっても煩雑な修正操作を省くことできる。従って、文字入力処理装置１３の利便性を向上することができる。
【００３９】
また、第２文字を入力する際の押下回数が第１文字を入力する際の押下回数と同じであるので、ユーザが意図する文字列の変換候補をより確実に表示部１０の表示に含めることができる。
【００４０】
本実施形態において、置換対象の第１文字が第１文字列の直前に入力した最後の文字から成るが、第１文字が第１文字列の途中に含まれた場合でもよい。この時、第１文字列の各文字（第１文字）を入力した文字キー２１に隣接する文字キー２１による文字（第２文字）で第１文字を置き替えて第２文字列が作成される。このため、変換候補が著しく多くなり、選択操作が煩雑になる場合がある。
【００４１】
従って、置換対象の第１文字を第１文字列の最後の文字にすると、変換候補の選択を容易にして利便性を向上することができる。また、置換対象の第１文字を第１文字列のいずれかの文字にすると、第１文字列の途中の誤入力に対しても容易に文字変換することができる。置換対象の第１文字を第１文字列の最後の文字とする場合と、第１文字列の途中に含まれる場合とをユーザが選択できるようにしてもよい。
【００４２】
尚、本実施形態の文字入力処理装置１３を含む電気・通信機器、測定装置、操作機器において同様の効果を得ることができる。特に、小型化が著しい携帯電話機１は文字キー２１の面積が狭く隣接する文字キー２１の間隔が狭いため、本実施形態の文字入力処理装置１３によって大きな効果を得ることができる。
【産業上の利用可能性】
【００４３】
複数の文字キーにより入力された文字列の文字変換を行う文字入力処理装置及びそれを備えた携帯電話機等の電気・通信機器、測定装置、操作機器に利用することができる。
【図面の簡単な説明】
【００４４】
【図１】本発明の実施形態の携帯電話機を示す正面図
【図２】本発明の実施形態の携帯電話機の構成を示すブロック図
【図３】本発明の実施形態の携帯電話機の文章入力の動作を示すフローチャート
【図４】本発明の実施形態の携帯電話機の表示部の変換候補を表示した状態を示す図
【図５】本発明の実施形態の携帯電話機の表示部の文字変換した状態を示す図
【符号の説明】
【００４５】
１    携帯電話機
２    第１筐体
３    第２筐体
４    ヒンジ部
５    スピーカ
６    マイク
７    制御部
８    通信部
９    バッテリ
１０    表示部
１１    文章表示部
１２    変換候補表示部
１３    文字入力処理装置
２０    操作部
２１    文字キー
２２    選択キー
２３    確定キー
【図１】
2009163488.tif 000003
【図２】
2009163488.tif 000004
【図３】
2009163488.tif 000005
【図４】
2009163488.tif 000006
【図５】
2009163488.tif 000007